Podtech/llm-jp-corpus-v4-ja_patent huggingface dataset:
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
ＰＡＧ４、ＰＡＧ６、ＰＡＧ９、ＰＡＧ１６、ＰＡＧ１７、ＰＡＧ１９、ＰＡＧ２０およびＰＡＧ２１から成る群より選択される少なくとも２つのＰＡＧに免疫学的に結合する抗体またはそのフラグメント。
【請求項２】
前記抗体またはそのフラグメントが、ＰＡＧ４、ＰＡＧ６、ＰＡＧ９、ＰＡＧ１６、ＰＡＧ１７、ＰＡＧ１９、ＰＡＧ２０およびＰＡＧ２１に免疫学的に結合する、請求項１に記載の抗体またはそのフラグメント。
【請求項３】
ＡＴＣＣ寄託番号ＰＴＡ−８５６６として寄託されたハイブリドーマによって産生される抗体、またはその抗原結合フラグメント。
【請求項４】
ＡＴＣＣ寄託番号ＰＴＡ−８５６６の下に寄託された単離細胞、または抗体２Ｄ９を産生するその子孫細胞。
【請求項５】
抗体重鎖または軽鎖ドメインをコードする単離ポリヌクレオチドであって、前記重鎖または軽鎖ドメインが、
ａ）配列番号１と少なくとも９７％の配列同一性を有するポリペプチド配列；
ｂ）配列番号２と少なくとも９２％の配列同一性を有するポリペプチド配列；
ｃ）配列番号１を含むポリペプチド配列；および
ｄ）配列番号２を含むポリペプチド配列
から成る群より選択される、単離ポリヌクレオチド。
【請求項６】
前記ポリヌクレオチドが、配列番号３または配列番号４のポリペプチド配列をコードする、請求項５に記載のポリヌクレオチド。
【請求項７】
前記ポリヌクレオチドが、配列番号５または配列番号６を含む、請求項５に記載のポリヌクレオチド。
【請求項８】
抗体重鎖または軽鎖ドメインを含む単離ポリペプチドであって、前記重鎖または軽鎖ドメインが、
ａ）配列番号１と少なくとも９７％の配列同一性を有するポリペプチド配列；
ｂ）配列番号２と少なくとも９２％の配列同一性を有するポリペプチド配列；
ｃ）配列番号１を含むポリペプチド配列；および
ｄ）配列番号２を含むポリペプチド配列
から成る群より選択される、単離ポリペプチド。
【請求項９】
前記ポリペプチドが、ＰＡＧ４、ＰＡＧ６、ＰＡＧ９、ＰＡＧ１６、ＰＡＧ１７、ＰＡＧ１９、ＰＡＧ２０およびＰＡＧ２１から成る群より選択される少なくとも第一のＰＡＧに免疫学的に結合するか、または前記ポリペプチドが抗体またはそのフラグメントである請求項８に記載のポリペプチド。
【請求項１０】
ウシ科の動物における妊娠を検出するための方法であって、
ａ）ウシ科の動物から試料を得ること；
ｂ）前記試料を請求項１に記載の抗体またはそのフラグメントと接触させること；および
ｃ）前記試料が、前記抗体またはそのフラグメントによって免疫学的に結合され得る少なくとも第一の妊娠関連抗原（ＰＡＧ）を含むか否かを測定することであって、ここで試料におけるＰＡＧの存在が妊娠を示す、
を含むことを特徴とする方法。
【請求項１１】
i）前記抗体またはそのフラグメントが、モノクローナル抗体２Ｄ９である；
ii）前記試料が少なくとも第一の妊娠関連抗原を含むか否かを測定することが、ＥＬＩＳＡまたはウエスタンブロット法を含む；
iii）前記試料が少なくとも第一の妊娠関連抗原を含むか否かを測定することが、基質に固定された前記抗体またはそのフラグメントおよび酵素で標識された第二の抗体製剤へのＰＡＧの結合を含むサンドイッチＥＬＩＳＡを含む；
iv）前記ＰＡＧが、ＰＡＧ４、ＰＡＧ６、ＰＡＧ９、ＰＡＧ１６、ＰＡＧ１７、ＰＡＧ１９、ＰＡＧ２０およびＰＡＧ２１から成る群より選択される；または
v）前記ＰＡＧが、ＰＡＧ６である
ことを特徴とする請求項１０に記載の方法。
【請求項１２】
（ａ）請求項１に記載の抗体またはそのフラグメント；および
（ｂ）前記抗体またはそのフラグメントのための容器
を含むキット。
【請求項１３】
i）前記キットが、前記抗体またはそのフラグメントと少なくとも第一の妊娠関連抗原（ＰＡＧ）の間の免疫学的結合を検出するための手段を含む；
ii）前記抗体またはそのフラグメントが、支持体に結合されている；
iii）前記支持体が、ポリスチレンプレート、試験管または試験紙である；
iv）前記キットが、検出可能な標識をさらに含む；
v）前記キットが、蛍光または化学発光タグである検出可能な標識をさらに含む；
vi）前記キットが、酵素である検出可能な標識をさらに含む；または
vii）前記キットが、アルカリホスファターゼまたはホースラディッシュペルオキシダーゼである検出可能な標識をさらに含む
ことを特徴とする請求項１２に記載のキット。
【請求項１４】
少なくとも第一の妊娠関連抗原（ＰＡＧ）を精製する方法であって、
ａ）少なくとも第一の妊娠関連抗原（ＰＡＧ）を含む試料を得ること；および
ｂ）請求項１に記載の抗体またはそのフラグメントに対するＰＡＧの親和性に基づき前記試料に対してＰＡＧを精製すること
を含むことを特徴とする方法。
【請求項１５】
i）前記試料が、５０日目から２５０日目のウシ胎盤から得られる；
ii）前記試料が、６１日目から２５０日目のウシ胎盤から得られる；または
iii）ＰＡＧの親和性に基づき前記試料に対してＰＡＧを精製することが、免疫沈降法、ウエスタンブロット法またはイムノアフィニティークロマトグラフィー法を含む  
ことを特徴とする請求項１４に記載の方法。
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
ビタミンＥ誘導体と細胞死マーカーを含有する医薬組成物。
【請求項２】
前記細胞死マーカーがアネキシンである、請求項１に記載の医薬組成物。
【請求項３】
前記アネキシンがアネキシンＶである、請求項２に記載の医薬組成物。
【請求項４】
前記ビタミンＥ誘導体がトコフェロール又はその誘導体である、請求項１から３のいずれか一項に記載の医薬組成物。
【請求項５】
前記トコフェロールが、ポリエチレングリコール１０００にエステル結合したＤ−α−トコフェリルスクシナートである、請求項４に記載の医薬組成物。
【請求項６】
少なくとも１つの作用物質の後眼部への送達を高めるための薬剤を製造するためのビタミンＥ誘導体の使用。
【請求項７】
前記作用物質が細胞死マーカーを含む、請求項６に記載の使用。
【請求項８】
前記ビタミンＥ誘導体がトコフェロール、特にポリエチレングリコール１０００にエステル結合したＤ−α−トコフェリルスクシナートである、請求項６又は７に記載の使用。
【請求項９】
前記ビタミンＥ誘導体が局所送達用に製剤される、請求項６から８のいずれか一項に記載の使用。
【請求項１０】
前記薬剤が、網膜への送達を高めるためである、請求項６から９のいずれか一項に記載の使用。
【請求項１１】
少なくとも１つの作用物質をビタミンＥ誘導体と組み合わせて含む、前記作用物質を後眼部へ送達するための医薬組成物。
【請求項１２】
前記作用物質とビタミンＥ誘導体が局所的に送達される、請求項１１に記載の医薬組成物。
【請求項１３】
前記ビタミンＥ誘導体がトコフェロール、特にポリエチレングリコール１０００にエステル結合したＤ−α−トコフェリルスクシナートである、請求項１１又は１２に記載の医薬組成物。
【請求項１４】
前記医薬組成物が、作用物質を網膜に送達するためである、請求項１１から１３のいずれか一項に記載の医薬組成物。
【請求項１５】
前記作用物質が細胞死マーカーである、請求項１１から１４のいずれか一項に記載の医薬組成物。
【請求項１６】
第２の作用物質を含む、請求項１５に記載の医薬組成物。
【手続補正２】
【補正対象書類名】明細書
【補正対象項目名】００４３
【補正方法】変更
【補正の内容】
【００４３】
参考文献
【表１】
2011507820.tif 000001
[１]
ビタミンＥ誘導体と細胞死マーカーを含有する医薬組成物。
[２]
前記細胞死マーカーがアネキシンである、上記[１]に記載の医薬組成物。
[３]
前記アネキシンがアネキシンＶである、上記[２]に記載の医薬組成物。
[４]
前記ビタミンＥ誘導体がトコフェロール又はその誘導体である、上記[１]から[３]のいずれか一項に記載の医薬組成物。
[５]
前記トコフェロールが、ポリエチレングリコール１０００にエステル結合したＤ−α−トコフェリルスクシナートである、上記[４]に記載の医薬組成物。
[６]
少なくとも１つの作用物質の後眼部への送達を高めるための担体としてのビタミンＥ誘導体の使用。
[７]
前記作用物質が細胞死マーカーを含む、上記[６]に記載の使用。
[８]
前記ビタミンＥ誘導体がトコフェロール、特にポリエチレングリコール１０００にエステル結合したＤ−α−トコフェリルスクシナートである、上記[６]又は[７]に記載の使用。
[９]
前記ビタミンＥ誘導体が局所送達用に製剤される、上記[６]から[８]のいずれか一項に記載の使用。
[１０]
前記担体が、網膜への送達を高めるためである、上記[６]から[９]のいずれか一項に記載の使用。
[１１]
作用物質をビタミンＥ誘導体と組み合わせて眼に送達することを含む、少なくとも１つの作用物質の後眼部への送達の方法。
[１２]
前記作用物質とビタミンＥ誘導体が局所的に送達される、上記[１１]に記載の方法。
[１３]
前記ビタミンＥ誘導体がトコフェロール、特にポリエチレングリコール１０００にエステル結合したＤ−α−トコフェリルスクシナートである、上記[１１]又は[１２]に記載の方法。
[１４]
前記方法が、作用物質を網膜に送達するためである、上記[１１]から[１３]のいずれか一項に記載の方法。
[１５]
前記作用物質が細胞死マーカーである、上記[１１]から[１４]のいずれか一項に記載の方法。
[１６]
第２の作用物質を送達することを含む、上記[１５]に記載の方法。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
単独でカチオン性両親媒性物質であり、水へのそれ自体の溶解性が少なくとも４ｍｇ／ｍｌである薬学的に活性な物質を投与するためのドラッグ・デリバリー・システムであって、ドラッグ・デリバリー・システムは、０．１ｍｇ／ｍｌ未満の水への溶解性を有する約５０ｎｍより小さいナノ粒子を含み、前記ナノ粒子は、Ｎ−オール−トランス−レチノイルシステイン酸のメチルエステルのナトリウム塩、Ｎ−１３−シス−レチノイルシステイン酸のメチルエステルのナトリウム塩またはそれらの組合せと結合している前記物質によって形成されることを特徴とするドラッグ・デリバリー・システム。
【請求項２】
前記ナノ粒子は０．０１ｍｇ／ｍｌ未満の水への溶解性を有することを特徴とする請求項１に記載のドラッグ・デリバリー・システム。
【請求項３】
前記物質は、Ｎ−オール−トランス−レチノイルシステイン酸のメチルエステルのナトリウム塩、Ｎ−１３−シス−レチノイルシステイン酸のメチルエステルのナトリウム塩またはそれらの組合せと非共有結合していることを特徴とする請求項１または２に記載のドラッグ・デリバリー・システム。
【請求項４】
前記物質は、細胞毒性化合物または細胞分裂阻害化合物であることを特徴とする、請求項１乃至３のいずれかに記載のドラッグ・デリバリー・システム。
【請求項５】
前記細胞毒性化合物または細胞分裂阻害化合物は、プロトン化型のドキソルビシン、ミトキサントロン、エピルビシン、ダウノルビシン、イダルビシン、トポテカン、イリノテカン、ビンブラスチン、ビンクリスチン、ビノレルビン、アムサクリン、プロカルバジン、メクロレタミンまたはそれらの組合せであることを特徴とする請求項４に記載のドラッグ・デリバリー・システム。
【請求項６】
前記化合物は、プロトン化型のドキソルビシンであることを特徴とする請求項５に記載のドラッグ・デリバリー・システム。
【請求項７】
前記化合物は、プロトン化型のミトキサントロンであることを特徴とする請求項５に記載のドラッグ・デリバリー・システム。
【請求項８】
癌治療に使用するためのものであることを特徴とする請求項４乃至７のいずれかに記載のドラッグ・デリバリー・システム。
【請求項９】
薬学的に許容される担体および請求項１乃至８のいずれかに記載のドラッグ・デリバリー・システムを含む医薬組成物。
【請求項１０】
請求項１乃至８のいずれかに記載のドラッグ・デリバリー・システムの調製における、Ｎ−オール−トランス−レチノイルシステイン酸のメチルエステルのナトリウム塩、Ｎ−１３−シス−レチノイルシステイン酸のメチルエステルのナトリウム塩またはそれらの組合せの使用。
【請求項１１】
水へのそれ自体の溶解性が少なくとも４ｍｇ／ｍｌであるカチオン性両親媒性物質を疎水化するための、Ｎ−オール−トランス−レチノイルシステイン酸のメチルエステルのナトリウム塩、Ｎ−１３−シス−レチノイルシステイン酸のメチルエステルのナトリウム塩またはそれらの組合せの使用。
【請求項１２】
前記カチオン性両親媒性物質は、細胞毒性化合物または細胞分裂阻害化合物であることを特徴とする請求項１１に記載の使用。
【請求項１３】
単独でカチオン性両親媒性物質であり、水へのそれ自体の溶解性が少なくとも４ｍｇ／ｍｌのである少なくとも１種の薬学的に活性な物質を投与するためのドラッグ・デリバリー・システムを調製する方法であって、前記物質をＮ−オール−トランス−レチノイルシステイン酸のメチルエステルのナトリウム塩、Ｎ−１３−シス−レチノイルシステイン酸のメチルエステルのナトリウム塩またはそれらの組合せと混合して０．１ｍｇ／ｍｌ未満の水への溶解性を有する約５０ｎｍより小さいナノ粒子を形成することを特徴とする方法。
【請求項１４】
Ｎ−オール−トランス−レチノイルシステイン酸のメチルエステルのナトリウム塩、Ｎ−１３−シス−レチノイルシステイン酸のメチルエステルのナトリウム塩またはそれらの組合せは前記物質に非共有結合していることを特徴とする請求項１３に記載の方法。
【請求項１５】
薬学的に許容される担体および請求項１乃至８のいずれか一項に記載のドラッグ・デリバリー・システムを含む医薬組成物を調製する方法であって、前記ドラッグ・デリバリー・システムは、ドラッグ・デリバリー・システム中の両親媒性物質のカチオン電荷に基づいて約０．２〜１０当量の量である、Ｎ−オール−トランス−レチノイルシステイン酸のメチルエステル、Ｎ−１３−シス−レチノイルシステイン酸のメチルエステルのナトリウム塩、またはそれらの組合せと混合されることを特徴とする方法。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
単独でカチオン性両親媒性物質である少なくとも１種の薬学的に活性な物質を投与するためのドラッグ・デリバリー・システムであって、薬学的に活性な物質が、前記薬学的に活性な物質とＮ−オール−トランス−レチノイルシステイン酸のメチルエステルのナトリウム塩、Ｎ−１３−シス−レチノイルシステイン酸のメチルエステルのナトリウム塩、またはそれらの組合せとの間の複合体の粒子でドラッグ・デリバリー・システム中に存在し、前記複合体の前記粒子は約１００ｎｍ未満の有効平均粒子サイズを有し、
−前記複合体の粒子は本質的に非晶質であり；
−前記複合体の粒子はＮ−オール−トランス−レチノイルシステイン酸のメチルエステルのナトリウム塩、Ｎ−１３−シス−レチノイルシステイン酸のメチルエステルのナトリウム塩またはそれらの組合せから形成されたナノ粒子中に捕捉されており；
−前記Ｎ−オール−トランス−レチノイルシステイン酸のメチルエステルのナトリウム塩、Ｎ−１３−シス−レチノイルシステイン酸のメチルエステルのナトリウム塩またはそれらの組合せ対前記複合体の重量の重量対重量比は約０．５：１〜約２０：１の範囲であることを特徴とするドラッグ・デリバリー・システム。
【請求項２】
前記薬学的に活性な物質は水へのそれ自体の溶解性が少なくとも４ｍｇ／ｍｌであり、前記複合体は０．１ｍｇ／ｍｌ未満の水への溶解性を有する非共有結合性の複合体であることを特徴とする請求項１に記載のドラッグ・デリバリー・システム。
【請求項３】
前記複合体は約５０ｎｍ未満の有効平均粒子サイズを有することを特徴とする請求項１または２に記載のドラッグ・デリバリー・システム。
【請求項４】
前記Ｎ−オール−トランス−レチノイルシステイン酸のメチルエステルのナトリウム塩、Ｎ−１３−シス−レチノイルシステイン酸のメチルエステルのナトリウム塩またはそれらの組合せ対前記複合体の重量の重量対重量比は約１：１〜約１０：１の範囲であることを特徴とする、請求項１乃至３のいずれかに記載のドラッグ・デリバリー・システム。
【請求項５】
前記他の薬学的に活性な物質は約１００ｎｍ未満の有効平均粒子サイズを有する粒子形態にあり、
−前記他の薬学的に活性な物質の粒子は本質的に非晶質であり；
−前記他の薬学的に活性な物質の粒子は前記複合体の粒子と共に前記ナノ粒子中に捕捉されており；
−前記Ｎ−オール−トランス−レチノイルシステイン酸のメチルエステルのナトリウム塩、Ｎ−１３−シス−レチノイルシステイン酸のメチルエステルのナトリウム塩またはそれらの組合せ対前記他の薬学的に活性な物質および前記複合体の総合重量の重量対重量比は、約０．５：１〜約２０：１の範囲であることを特徴とする、水へのそれ自体の溶解性が約１００μｇ／ｍｌ未満である少なくとも１種の他の薬学的に活性な物質を含む請求項１または２に記載のドラッグ・デリバリー・システム。
【請求項６】
前記複合体は、約５０ｎｍ未満の有効平均粒子サイズを有することを特徴とする請求項５に記載のドラッグ・デリバリー・システム。
【請求項７】
前記Ｎ−オール−トランス−レチノイルシステイン酸のメチルエステルのナトリウム塩、Ｎ−１３−シス−レチノイルシステイン酸のメチルエステルのナトリウム塩またはそれらの組合せ対前記複合体の重量の重量対重量比は、約１：１〜約１０：１の範囲であることを特徴とする請求項５または６に記載のドラッグ・デリバリー・システム。
【請求項８】
前記他の薬学的に活性な物質は約５０ｎｍ未満の有効平均粒子サイズを有し、および／または前記複合体は約５０ｎｍ未満の有効平均粒子サイズを有することを特徴とする請求項５乃至７のいずれかに記載のドラッグ・デリバリー・システム。
【請求項９】
前記薬学的に活性な物質の少なくとも１種は細胞毒性化合物または細胞分裂阻害化合物であり、前記細胞毒性化合物または細胞分裂阻害化合物は、プロトン化型のドキソルビシン、ミトキサントロン、エピルビシン、ダウノルビシン、イダルビシン、トポテカン、イリノテカン、ビンブラスチン、ビンクリスチン、ビノレルビン、アムサクリン、プロカルバジン、メクロレタミンまたはそれらの組合せであることを特徴とする請求項１乃至９のいずれかに記載のドラッグ・デリバリー・システム。
【請求項１０】
前記他の薬学的に活性な物質は、細胞毒性化合物または細胞分裂阻害化合物であることを特徴とする請求項５乃至９のいずれかに記載のドラッグ・デリバリー・システム。
【請求項１１】
前記細胞毒性化合物または細胞分裂阻害化合物がタキサンである、もしくは前記タキサンはパクリタキセル、ドセタキセル、およびそれらの誘導体の中から選択されることを特徴とする、請求項１０に記載のドラッグ・デリバリー・システム。
【請求項１２】
前記少なくとも１種の薬学的に活性な物質および前記他の薬学的に活性な物質は細胞毒性化合物または細胞分裂阻害化合物であり、前記少なくとも１種の薬学的に活性な物質は、プロトン化型のドキソルビシン、ミトキサントロン、エピルビシン、ダウノルビシン、イダルビシン、トポテカン、イリノテカン、ビンブラスチン、ビンクリスチン、ビノレルビン、アムサクリン、プロカルバジン、メクロレタミンまたはそれらの組合せであることを特徴とする請求項５に記載のドラッグ・デリバリー・システム。
【請求項１３】
前記他の薬学的に活性な物質はタキサンであり、前記タキサンはパクリタキセル、ドセタキセル、およびそれらの誘導体の中から選択されることを特徴とする請求項１２に記載のドラッグ・デリバリー・システム。
【請求項１４】
癌治療に使用するためのものであることを特徴とする請求項１乃至１３のいずれかに記載のドラッグ・デリバリー・システム。
【請求項１５】
薬学的に許容される担体と、請求項１乃至１４のいずれかに記載のドラッグ・デリバリー・システムを有することを特徴とする医薬組成物。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
水へのそれ自体の溶解性が約１００μｇ／ｍｌ未満であり、約１００ｎｍ未満の有効平均粒子サイズを有する粒子形態にある、少なくとも１種の薬学的に活性な物質を投与するためのドラッグ・デリバリー・システムであって、
−前記物質の粒子は約５０ｎｍ未満の有効平均粒子サイズを有し；
−前記物質の粒子は本質的に非晶質であり；
−前記物質の粒子は、Ｎ−オール−トランス−レチノイルシステイン酸のメチルエステルのナトリウム塩、Ｎ−１３−シス−レチノイルシステイン酸のナトリウム塩もしくはメチルエステル、またはそれらの組合せから形成されたナノ粒子中に捕捉されており；
−前記Ｎ−オール−トランス−レチノイルシステイン酸のナトリウム塩もしくはメチルエステル、Ｎ−１３−シス−レチノイルシステイン酸のナトリウム塩もしくはメチルエステル、またはそれらの組合せ対前記物質の重量対重量比は、約０．５：１〜約２０：１の範囲であることを特徴とするドラッグ・デリバリー・システム。
【請求項２】
前記Ｎ−オール−トランス−レチノイルシステイン酸のメチルエステルのナトリウム塩、Ｎ−１３−シス−レチノイルシステイン酸のメチルエステルのナトリウム塩、またはそれらの組合せ対前記物質の重量対重量比が約１：１〜約１０：１の範囲であることを特徴とする請求項１に記載のドラッグ・デリバリー・システム。
【請求項３】
前記物質は細胞毒性化合物または細胞分裂阻害化合物であることを特徴とする請求項１または２に記載のドラッグ・デリバリー・システム。
【請求項４】
前記細胞毒性化合物または細胞分裂阻害化合物はタキサンであることを特徴とする請求項３に記載のドラッグ・デリバリー・システム。
【請求項５】
前記タキサンは、パクリタキセル、ドセタキセル、およびそれらの誘導体の中から選択されることを特徴とする請求項４に記載のドラッグ・デリバリー・システム。
【請求項６】
癌の治療に使用されるためのものであることを特徴とする請求項３乃至５のいずれかに記載のドラッグ・デリバリー・システム。
【請求項７】
前記物質は免疫抑制薬であることを特徴とする請求項１または２に記載のドラッグ・デリバリー・システム。
【請求項８】
前記免疫抑制薬は、シクロスポリン、シロリムス、タクロリムスおよびそれらの誘導体の中から選択されることを特徴とする、請求項７に記載のドラッグ・デリバリー・システム。
【請求項９】
同種臓器移植後に用いられるためのものであることを特徴とする請求項７または８に記載のドラッグ・デリバリー・システム。
【請求項１０】
薬学的に許容される担体および請求項１乃至９のいずれかに記載のドラッグ・デリバリー・システムを含むことを特徴とする医薬組成物。
【請求項１１】
請求項１乃至９のいずれかに記載のドラッグ・デリバリー・システムの調製における、Ｎ−オール−トランス−レチノイルシステイン酸のメチルエステルのナトリウム塩、Ｎ−１３−シス−レチノイルシステイン酸のメチルエステルのナトリウム塩、またはそれらの組合せの使用。
【請求項１２】
Ｎ−オール−トランス−レチノイルシステイン酸のメチルエステルのナトリウム塩、Ｎ−１３−シス−レチノイルシステイン酸のメチルエステルのナトリウム塩またはそれらの組合せ、および水へのそれ自体の溶解性が約１００μｇ／ｍｌ未満である少なくとも１種の薬学的に活性な物質から形成されたナノ粒子を含むドラッグ・デリバリー・システムを調製するための方法であって、
−前記物質は約１００ｎｍ未満の有効平均粒子サイズを有する本質的に非晶質の粒子の形態で調製され；
−前記ナノ粒子のサイズは、前記Ｎ−オール−トランス−レチノイルシステイン酸のメチルエステルのナトリウム塩、Ｎ−１３−シス−レチノイルシステイン酸のメチルエステルのナトリウム塩、またはそれらの組合せ対前記物質の重量対重量比を約０．５：１〜約２０：１の範囲になるように調整することにより約１００ｎｍ未満の有効平均粒子サイズを有するように制御されることを特徴とする方法。
【請求項１３】
前記物質は約１００ｎｍ未満の有効平均粒子サイズを有する本質的に非晶質の粒子形態で調製される方法であって、この方法は、
−前記物質を適当な有機溶媒に溶解して前記物質の有機溶液を用意するステップと；
−約０．０１〜３モル当量の、Ｎ−オール−トランス−レチノイルシステイン酸のメチルエステルのナトリウム塩、Ｎ−１３−シス−レチノイルシステイン酸のメチルエステルのナトリウム塩またはそれらの組合せを前記有機溶液に加えるステップと；
−前記有機溶媒を前記有機溶液から蒸発させて、本質的に非晶質の粒子形態で薬学的に活性な物質を含む残留物を用意するステップと、
から成ることを特徴とする請求項１２に記載の方法。
【請求項１４】
癌の治療用の医薬品を調製するためのものであることを特徴とする請求項３乃至６に記載の医薬組成物の使用。
【請求項１５】
同種臓器移植後に使用する医薬品を調製するための請求項７乃至９のいずれかに記載のドラッグ・デリバリー・システムの使用。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2011507868.tif 000001
（式中、
Ｒ１およびＲ２は、各々独立して、水素またはフルオロを表し；
Ｌは、−（ＣＨ２）２−、−ＣＨ（ＣＨ３）−ＣＨ２−、または直接結合を表し；
Ｒ３は、水素または以下の式の基：
【化２】
2011507868.tif 000002
を表し；そして、
Ｒ４は、−ＣＮまたは−Ｃ（Ｏ）ＮＨ２を表す）、
またはその薬学的に許容され得る塩。
【請求項２】
（Ｅ）−Ｎ−（５−（（Ｅ）−３−フルオロ−６Ｈ−ジベンゾ［ｂ，ｅ］オキセピン−１１−イリデンメチル）−１−（１−メチル−アゼチジン−３−イル）−１，３−ジヒドロ−ベンゾイミダゾール−２−イリデン）−シアナミド；（Ｅ）−Ｎ−（５−（（Ｅ）−（３−フルオロジベンゾ［ｂ，ｅ］オキセピン−１１（６Ｈ）−イリデン）メチル）−１−（（３Ｓ，４Ｓ）−４−ヒドロキシ−１−メチルピロリジン−３−イル）−１Ｈ−ベンゾ［ｄ］イミダゾール−２（３Ｈ）−イリデン）シアナミド；（Ｅ）−Ｎ−（５−（（Ｅ）−（３−フルオロジベンゾ［ｂ，ｅ］オキセピン−１１（６Ｈ）−イリデン）メチル）−１−（（３Ｓ，４Ｓ）−４−ヒドロキシ−１−メチルピロリジン−３−イル）−１Ｈ−ベンゾ［ｄ］イミダゾール−２（３Ｈ）−イリデン）シアナミドマレイン酸塩；（Ｅ）−Ｎ−［５−（（Ｅ）−３−フルオロ−６Ｈ−ジベンゾ［ｂ，ｅ］オキセピン−１１−イリデンメチル）−１−（（３Ｓ，４Ｓ）−４−ヒドロキシ−１−メチル−ピロリジン−３−イル）−１，３−ジヒドロ−ベンゾイミダゾール−２−イリデン］−尿素；（Ｅ）−Ｎ−（５−（（Ｅ）−３−フルオロ−６Ｈ−ジベンゾ［ｂ，ｅ］オキセピン−１１−イリデンメチル）−１−（（Ｒ）−１−メチル−２−モルホリン−４−イル−エチル）−１，３−ジヒドロ−ベンゾイミダゾール−２−イリデン）−尿素；および（Ｅ）−Ｎ−（５−（（Ｅ）−３−フルオロ−６Ｈ−ジベンゾ［ｂ，ｅ］オキセピン−１１−イリデンメチル）−１−（（７Ｓ，８ａＲ）−ヘキサヒドロ−ピロロ［２，１−ｃ］［１，４］オキサジン−７−イル）−１，３−ジヒドロ−ベンゾイミダゾール−２−イリデン）−尿素からなる群から選択される、請求項１に記載の化合物または塩。
【請求項３】
（Ｅ）−Ｎ−（５−（（Ｅ）−３−フルオロ−６Ｈ−ジベンゾ［ｂ，ｅ］オキセピン−１１−イリデンメチル）−１−（（Ｒ）−１−メチル−２−モルホリン−４−イル−エチル）−１，３−ジヒドロ−ベンゾイミダゾール−２−イリデン）−尿素である、請求項１に記載の化合物またはその薬学的に許容され得る塩。
【請求項４】
うっ血性心不全、糖尿病性腎症、慢性の腎疾患、高血圧症、低カリウム血症、心筋不整脈、バーター症候群、原発性または続発性の高アルドステロン症、またはコン症候群の処置における使用のための、請求項１〜３のいずれか１項に記載の化合物または塩。
【請求項５】
１種以上の薬学的に許容され得るキャリア、希釈剤、または賦形剤と組み合わせて、請求項１〜３のいずれか１項に記載の化合物または塩を含む医薬組成物。
【請求項６】
１種以上の薬学的に許容され得るキャリア、希釈剤、または賦形剤と組み合わせて、（Ｅ）−Ｎ−（５−（（Ｅ）−３−フルオロ−６Ｈ−ジベンゾ［ｂ，ｅ］オキセピン−１１−イリデンメチル）−１−（（Ｒ）−１−メチル−２−モルホリン−４−イル−エチル）−１，３−ジヒドロ−ベンゾイミダゾール−２−イリデン）−尿素である化合物またはその薬学的に許容され得る塩を含む、請求項５に記載の医薬組成物。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
治療用インプラントにおいて、
ポリマービーズ内にカプセル化された全腎組織のフラグメントを含む、治療用インプラント。
【請求項２】
請求項１に記載の治療用インプラントにおいて、
前記腎組織が、自家組織、同種組織、異種組織、またはそれらの任意の組み合わせである、治療用インプラント。
【請求項３】
請求項１に記載の治療用インプラントにおいて、
前記腎組織が、遺伝子改変された細胞を含む、治療用インプラント。
【請求項４】
請求項１に記載の治療用インプラントにおいて、
前記フラグメントが、約１ｍｍ未満の大きさを有する、治療用インプラント。
【請求項５】
請求項１に記載の治療用インプラントにおいて、
前記フラグメントが、約３００μｍ未満の大きさを有する、治療用インプラント。
【請求項６】
請求項１に記載の治療用インプラントにおいて、
少なくとも約３０ｍｇの腎組織を含む、治療用インプラント。
【請求項７】
請求項１に記載の治療用インプラントにおいて、
前記ポリマービーズが、アルギン酸、ヒアルロン酸、カルボキシメチルセルロース、ポリエチレングリコール、デキストラン、アガロース、ポリ−L−リジン、カラギーナン、ペクチン、トラガカントゴム、キサンタンガム、グアーガム、アラビアゴム、Ｉ型コラーゲン、ラミニン、フィブロネクチン、フィブリン、またはそれらの任意の組み合わせを含む、治療用インプラント。
【請求項８】
請求項１に記載の治療用インプラントにおいて、
前記ポリマービーズが、アルギン酸、およびポリ−L−リジンを含む、治療用インプラント。
【請求項９】
請求項１に記載の治療用インプラントにおいて、
前記ポリマービーズが、約３ｍｍ〜約６ｍｍの直径を有する、治療用インプラント。
【請求項１０】
請求項１に記載の治療用インプラントにおいて、
前記組織が、１つ以上のホルモン、プロホルモン、タンパク質、成長因子、またはそれらの任意の組み合わせを分泌する、治療用インプラント。
【請求項１１】
請求項１０に記載の治療用インプラントにおいて、
前記組織が、エリスロポエチン、ＭＣＰ−１、アディポネクチン、レプチン、およびＭＭＰ−２のうち１つ以上を分泌する、治療用インプラント。
【請求項１２】
治療用インプラントの使用において、
前記治療用インプラントは、患者における病状を治療するため、ポリマービーズ内にカプセル化された全腎組織のフラグメントを含む、使用。
【請求項１３】
請求項１２に記載の使用において、
前記病状が、貧血、脳卒中、心臓血管疾患、または腎疾患である、使用。
【請求項１４】
請求項１２または１３に記載の使用において、
前記腎組織が、自家組織、同種組織、異種組織、またはそれらの任意の組み合わせである、使用。
【請求項１５】
請求項１２または１３に記載の使用において、
前記腎組織が、遺伝子改変された細胞を含む、使用。
【請求項１６】
請求項１２または１３に記載の使用において、
前記フラグメントが、約１ｍｍ未満の大きさを有する、使用。
【請求項１７】
請求項１２または１３に記載の使用において、
前記フラグメントが、約３００μｍ未満の大きさを有する、使用。
【請求項１８】
請求項１２または１３に記載の使用において、
前記治療用インプラントが、少なくとも約３０ｍｇの腎組織を含む、使用。
【請求項１９】
請求項１２または１３に記載の使用において、
前記ポリマービーズが、アルギン酸、ヒアルロン酸、カルボキシメチルセルロース、ポリエチレングリコール、デキストラン、アガロース、ポリ−L−リジン、カラギーナン、ペクチン、トラガカントゴム、キサンタンガム、グアーガム、アラビアゴム、Ｉ型コラーゲン、ラミニン、フィブロネクチン、フィブリン、またはそれらの任意の組み合わせを含む、使用。
【請求項２０】
請求項１２または１３に記載の使用において、
前記ポリマービーズが、アルギン酸およびポリ−L−リジンを含む、使用。
【請求項２１】
請求項１２または１３に記載の使用において、
前記ポリマービーズが、約３ｍｍ〜約６ｍｍの直径を有する、使用。
【請求項２２】
請求項１２または１３に記載の使用において、
前記組織が、１つ以上のホルモン、プロホルモン、タンパク質、成長因子、またはそれらの任意の組み合わせを分泌する、使用。
【請求項２３】
請求項２２に記載の使用において、
前記組織が、エリスロポエチン、ＭＣＰ−１、アディポネクチン、レプチン、およびＭＭＰ−２のうち１つ以上を分泌する、使用。
【請求項２４】
治療用インプラントを製造するための方法において、
全腎組織のフラグメントを提供することと、
前記腎組織を、ポリマーを含む溶液と混合して、それにより、組織−ポリマー懸濁液を形成することと、
前記組織−ポリマー懸濁液を、ビーズ形成溶液に押し出して、それにより、前記腎組織が中でカプセル化されている前記ポリマーのビーズを含む治療用インプラントを形成することと、
を含む、方法。
【請求項２５】
請求項２４に記載の方法において、
前記ポリマーを含む溶液が、
アルギン酸、ヒアルロン酸、カルボキシメチルセルロース、ポリエチレングリコール、デキストラン、アガロース、ポリ−L−リジン、カラギーナン、ペクチン、トラガカントゴム、キサンタンガム、グアーガム、アラビアゴム、Ｉ型コラーゲン、ラミニン、フィブロネクチン、フィブリン、またはそれらの任意の組み合わせと、
成長培地と、
を含む、方法。
【請求項２６】
請求項２４に記載の方法において、
前記ビーズ形成溶液が、架橋溶液を含む、方法。
【請求項２７】
請求項２４に記載の方法において、
前記ビーズ形成溶液が、イオン溶液を含む、方法。
【請求項２８】
請求項２４に記載の方法において、
前記ビーズ形成溶液が、ＣａＣｌ２を含む、方法。
【請求項２９】
請求項２８に記載の方法において、
前記ビーズを、追加のポリマー層でコーティングすることをさらに含む、方法。
【手続補正書】
【提出日】平成23年12月1日(2011.12.1)
【手続補正１】
【補正対象書類名】明細書
【補正対象項目名】００２５
【補正方法】変更
【補正の内容】
【００２５】
本発明の組み合わせ剤が、本明細書で記載された有益な効果をもたらすことは、確立された試験モデルによって示され得る。当業者は、このような有益な効果を証明するための関連の試験モデルを十分に選択し得る。本発明の組み合わせ剤の薬理学的活性は、例えば、臨床試験で、または、本質的に下で記載した試験手順で実証され得る。
【手続補正２】
【補正対象書類名】明細書
【補正対象項目名】００４７
【補正方法】変更
【補正の内容】
【００４７】
結果
両方のｃ−ａｂｌ阻害剤ともＢ−ＣＬＬリンパ球をクロラムブシルに感受性とする
合計２１人のＣＬＬ患者がこの試験に参加した。１３人の患者は、臨床的に処置されておらず(患者１から１３)、８人は予めクロラムブシルでの治療を受けていた(処置患者１４から２１)。患者の年齢の中央値は７２才であり(４５才から９０才の範囲)、ＷＢＣ数の中央値は８３.７×１０９細胞／Ｌ(３２.８７×１０９から２５６.２７×１０９細胞／Ｌの範囲)であった。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
式Ｉ：
2011507888.tif 000001
［上式中、
Ｚ１はＣＲ１であり；
Ｒ１はＨ、Ｃ１−Ｃ３アルキル、ハロ、ＣＦ３、ＣＨＦ２、ＣＮ、ＯＲＡ又はＮＲＡＲＡであり；
Ｒ１’はＨ、Ｃ１−Ｃ３アルキル、ハロ、ＣＦ３、ＣＨＦ２、ＣＮ、ＯＲＡ、又はＮＲＡＲＡであり；
ここで、それぞれのＲＡは独立してＨ又はＣ１−Ｃ３アルキルであり；
Ｚ２はＣＲ２であり；
Ｚ３はＣＲ３はであり；
Ｒ２及びＲ３は独立してＨ、ハロ、ＣＮ、ＣＦ３、又はＣ１-Ｃ１２アルキルであり；
Ｒ４はＨ、Ｃ１-Ｃ６アルキルであり；
ＹはＷ-Ｃ(Ｏ)-であり；
Ｗは
2011507888.tif 000002
であり；
Ｒ５はＨ又はＣ１-Ｃ１２アルキルであり；
Ｘ１は-ＯＲ１１'であり；
Ｒ１１'はＣ１-Ｃ１２アルキル、Ｃ１-Ｃ１２ヒドロキシアルキル、Ｃ１-Ｃ１２ジヒドロキシアルキル又はＲａ又はＲｂが独立して水素又はＣ１−３アルキルであるか、又はＲａとＲｂはそれらが結合している窒素と一緒になって、５又は６員環の環状アミンを形成する（ＣＨ２）ｎＮＲａＲｂであり；
Ｘ４は
2011507888.tif 000003
であり；
Ｒ６はハロ、Ｃ１-Ｃ６アルキル、Ｃ２-Ｃ８アルキニル、Ｃ３−４シクロアルキル又はＣ１ー１２アルキルチオであり；
Ｒ６'はＨ、ハロ又はＣ１-Ｃ６アルキルであり；
ｐは０、１又は２である］
の化合物及びその塩。
【請求項２】
Ｒ２がＨ、メチル、ＣＦ３、Ｃｌ、又はＦである、請求項１の化合物。
【請求項３】
Ｒ２がＨ、Ｃｌ又はＦである、請求項２の化合物。
【請求項４】
Ｒ３がＨ、メチル、ＣＦ３、Ｃｌ、又はＦである、請求項２の化合物。
【請求項５】
Ｒ３がＨ、Ｃｌ又はＦである、請求項４の化合物。
【請求項６】
Ｒ１がＨ又はメチルである、請求項４の化合物。
【請求項７】
Ｒ１がＨである、請求項８の化合物。
【請求項８】
Ｒ１’がＨである、請求項７の化合物。
【請求項９】
ＹがＷ-Ｃ（Ｏ）、ＷがＸ１-Ｎ（Ｒ５）-、及びＸ１ が
2011507888.tif 000004
から選択される、
請求項１０の化合物。
【請求項１０】
ＹがＷ-Ｃ（Ｏ）、ＷがＸ１-Ｎ（Ｒ５）-、及びＸ１が
2011507888.tif 000005
から選択される、請求項８の化合物。
【請求項１１】
Ｘ４が
2011507888.tif 000006
から選択される、請求項９又は１０の化合物。
【請求項１２】
Ｒ４がＨ又はメチルである、請求項１１の化合物。
【請求項１３】
Ｒ４がＨである、請求項１２の化合物。
【請求項１４】
Ｒ５がＨ又はメチルである、請求項１２の化合物。
【請求項１５】
Ｒ５がＨである、請求項１４の化合物。
【請求項１６】
８−（４−シクロプロピル−２−フルオロ−フェニルアミノ）−イミダゾ［１，５−ａ］ピリジン−７−カルボン酸アミド；
８−（４−シクロプロピル−２−フルオロ−フェニルアミノ）−イミダゾ［１，５−ａ］ピリジン−７−カルボン酸（２−ヒドロキシ−エトキシ）−アミド；
８−（２−フルオロ−４−メチルスルファニル−フェニルアミノ）−イミダゾ［１，５−ａ］ピリジン−７−カルボン酸（２−ヒドロキシ−エトキシ）−アミド；
８−（２−フルオロ−４−ヨード−フェニルアミノ）−イミダゾ［１，５−ａ］ピリジン−７−カルボン酸（２−ヒドロキシ−エトキシ）−アミド；
８−（４−シクロプロピル−２−フルオロ−フェニルアミノ）−イミダゾ［１，５−ａ］ピリジン−７−カルボン酸（（Ｓ）−２−ヒドロキシ−プロポキシ）−アミド；
８−（４−シクロプロピル−２−フルオロ−フェニルアミノ）−イミダゾ［１，５−ａ］ピリジン−７−カルボン酸（２−ヒドロキシ−１，１−ジメチル−エトキシ）−アミド；
８−（４−ブロモ−２−フルオロ−フェニルアミノ）−イミダゾ［１，５−ａ］ピリジン−７−カルボン酸（２−ヒドロキシ−エトキシ）−アミド；
８−（４−ブロモ−２−フルオロ−フェニルアミノ）−イミダゾ［１，５−ａ］ピリジン−７−カルボン酸（（Ｓ）−２−ヒドロキシ−プロポキシ）−アミド；
８−（４−ブロモ−２−クロロ−フェニルアミノ）−イミダゾ［１，５−ａ］ピリジン−７−カルボン酸（２−ヒドロキシ−エトキシ）−アミド；  及び、
８−（４−ブロモ−２−クロロ−フェニルアミノ）−イミダゾ［１，５−ａ］ピリジン−７−カルボン酸（２−ヒドロキシ−エトキシ）−アミド
から選択される化合物である請求項１の化合物。
【請求項１７】
請求項１、３から５及び６から１６の何れか一項の化合物、及び薬学的に許容可能な担体を含む、薬学的組成物。
【請求項１８】
付加的な化学療法剤を更に含む、請求項１７の薬学的組成物。
【請求項１９】
付加的な抗炎症剤を更に含む、請求項１７の薬学的組成物。
【請求項２０】
ほ乳類に治療的な有効量の請求項１７の薬学的組成物を投与することを含む、ほ乳類において異常細胞増殖を阻害する又は過剰増殖性障害を治療する方法。
【請求項２１】
ほ乳類に治療的な有効量の請求項１７の薬学的組成物を投与することを含む、ほ乳類において炎症性疾患を治療する方法。
【請求項２２】
ほ乳類に治療的な有効量の請求項１８の薬学的組成物を投与することを含む、ほ乳類において異常細胞増殖を阻害する又は過剰増殖性障害を治療する方法。
【請求項２３】
ほ乳類に治療的な有効量の、請求項１９の薬学的組成物の投与を含む、ほ乳類における炎症疾患の治療の方法。
【請求項２４】
ほ乳類に付加的な化学療法剤を投与することを更に含み、ここで、前記付加的な化学療法剤が逐次的又は連続的に投与される、請求項２０の方法。
【請求項２５】
ほ乳類に付加的な抗炎症剤を投与することを更に含み、ここで、前記付加的な抗炎症剤が逐次的又は連続的に投与される、請求項２１の方法。
【請求項２６】
ほ乳類において異常細胞増殖を阻害する又は過剰増殖性障害を治療するための医薬の製造における請求項１から１６の何れかの化合物の使用。
【請求項２７】
ほ乳類において炎症性疾患を治療するための医薬の製造における請求項１から１６の何れかの化合物の使用。
【請求項２８】
ほ乳類において異常細胞増殖を阻害する又は過剰増殖性障害を治療するための医薬の製造における請求項１８の何れかの薬学的組成物の使用。
【請求項２９】
ほ乳類において炎症性疾患を治療するための医薬の製造における請求項１９の何れかの薬学的組成物の使用。
【請求項３０】
ほ乳類において異常細胞増殖を阻害する又は過剰増殖性障害を治療するための医薬の製造における、更に第二の化学的療法剤を含んでなる請求項２４の薬学的組成物の使用。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
下記の工程を含む合成アルキルアリールスルホネートの製造方法：
（ａ）少なくとも一種の芳香族化合物の最初の量を、強酸触媒の存在下で、炭素原子数８乃至１００のオレフィン類から選ばれた或量のオレフィン混合物と反応させる工程、ただし、得られる生成物は１，２，４−トリアルキル置換芳香族化合物を少なくとも６０質量％含有している、
（ｂ）工程（ａ）の生成物をスルホン化する工程、そして、
（ｃ）工程（ｂ）の生成物を、アルカリ源又はアルカリ土類金属源またはアンモニア源で中和する工程。
【請求項２】
アルカリ源又はアルカリ土類金属源が水酸化物である請求項１に記載の方法。
【請求項３】
工程（ａ）の生成物を、空気で希釈した三酸化硫黄と反応させて、生成物のスルホン化を発生させる請求項１に記載の方法。
【請求項４】
少なくとも一種の芳香族化合物が、未置換芳香族化合物、一置換芳香族化合物および二置換芳香族化合物から選ばれる請求項１に記載の方法。
【請求項５】
少なくとも一種の芳香族化合物が、ベンゼン、トルエン、メタ−キシレン、パラ−キシレン、オルト−キシレンおよびそれらの混合物から選ばれる請求項４に記載の方法。
【請求項６】
少なくとも一種の芳香族化合物が、メタ−キシレン、パラ−キシレン、オルト−キシレンおよびそれらの混合物から選ばれる請求項５に記載の方法。
【請求項７】
少なくとも一種の芳香族化合物がオルト−キシレンである請求項６に記載の方法。
【請求項８】
工程（ａ）のオレフィン混合物が、線状オレフィンの混合物、線状異性化オレフィンの混合物、分枝オレフィンの混合物、部分分枝オレフィンの混合物、またはそれらの混合物である請求項１に記載の方法。
【請求項９】
工程（ａ）のオレフィン混合物が線状オレフィンの混合物である請求項８に記載の方法。
【請求項１０】
線状オレフィンの混合物がノルマルアルファオレフィンの混合物である請求項９に記載の方法。
【請求項１１】
線状オレフィンの混合物が、石油ワックスまたはフィッシャー・トロプシュ・ワックスの分解により誘導されたオレフィン類を含んでいる請求項１０に記載の方法。
【請求項１２】
オレフィン混合物が炭素原子８個乃至炭素原子１００個を含んでいる請求項８に記載の方法。
【請求項１３】
オレフィン混合物が、炭素原子８乃至１００個を含む線状アルファオレフィン類または異性化オレフィン類から誘導されたものである請求項１２に記載の方法。
【請求項１４】
オレフィン混合物が、炭素原子１０乃至８０個を含む線状アルファオレフィン類または異性化オレフィン類から誘導されたものである請求項１３に記載の方法。
【請求項１５】
オレフィン混合物が、炭素原子１４乃至６０個を含む線状アルファオレフィン類または異性化オレフィン類から誘導されたものである請求項１４に記載の方法。
【請求項１６】
線状オレフィンの混合物が、オレフィンメタセシスから誘導された線状内部オレフィンの混合物である請求項９に記載の方法。
【請求項１７】
オレフィン混合物が分枝オレフィンの混合物である請求項１に記載の方法。
【請求項１８】
分枝オレフィンの混合物が、Ｃ3又はそれ以上のモノオレフィン類から誘導されたポリ
オレフィン化合物を含んでいる請求項１７に記載の方法。
【請求項１９】
ポリオレフィン化合物がポリプロピレンまたはポリブチレンの何れかである請求項１８に記載の方法。
【請求項２０】
ポリオレフィン化合物がポリプロピレンである請求項１９に記載の方法。
【請求項２１】
ポリオレフィン化合物がポリブチレンである請求項１９に記載の方法。
【請求項２２】
強酸触媒が、塩酸、フッ化水素酸、臭化水素酸、硫酸、過塩素酸、トリフルオロメタンスルホン酸、フルオロスルホン酸および硝酸からなる群より選ばれる請求項１に記載の方法。
【請求項２３】
強酸触媒がフッ化水素酸である請求項２２に記載の方法。
【請求項２４】
得られる生成物が、１，２，４−トリアルキル置換芳香族化合物を少なくとも７５質量％含有している請求項１に記載の方法。
【請求項２５】
請求項１に記載の方法により製造されたアルキルアリールスルホネート。
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
一年生作物及び多年生作物における植物に損傷を与える土壌生息性線虫類を防除するための、式（Ｉ−１）及び式（Ｉ−２）
【化１】
2011507846.tif 000001
で表される化合物の使用。
【請求項２】
ブドウの蔓（ｗｉｎｅ）における植物に損傷を与える土壌生息性線虫類を防除するための、請求項１に記載の式（Ｉ−１）で表される化合物の使用。
【請求項３】
野菜類における植物に損傷を与える土壌生息性線虫類を防除するための、請求項１に記載の式（Ｉ−１）で表される化合物の使用。
【請求項４】
柑橘類における植物に損傷を与える土壌生息性線虫類を防除するための、請求項１に記載の式（Ｉ−１）で表される化合物の使用。
【請求項５】
ブドウの蔓（ｗｉｎｅ）における植物に損傷を与える土壌生息性線虫類を防除するための、請求項１に記載の式（Ｉ−２）で表される化合物の使用。
【請求項６】
野菜類における植物に損傷を与える土壌生息性線虫類を防除するための、請求項１に記載の式（Ｉ−２）で表される化合物の使用。
【請求項７】
柑橘類における植物に損傷を与える土壌生息性線虫類を防除するための、請求項１に記載の式（Ｉ−２）で表される化合物の使用。
【請求項８】
植物に損傷を与える土壌生息性線虫類を防除する方法であって、請求項１に記載の式（Ｉ−１）で表される化合物を茎葉処理することを特徴とする、前記方法。
【請求項９】
植物に損傷を与える土壌生息性線虫類を防除する方法であって、請求項１に記載の式（Ｉ−２）で表される化合物を茎葉処理することを特徴とする、前記方法。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
外科的治療を受けることを予定している患者における手術後の出血及び／又は創傷を減少させるための、ブリモニジン又はそれの医薬的に許容可能な塩を含む医薬組成物であって、
出血及び／又は創傷を引き起こす外科的治療を行うことを予定している、患者の皮膚の局部に、外科的治療を行う前に局所的に接触させる医薬組成物。
【請求項２】
外科的治療が、外科的切開又はレーザー治療である、請求項１に記載の医薬組成物。
【請求項３】
外科的治療の１０分前〜１２０分前に接触させる、請求項１に記載の医薬組成物。
【請求項４】
外科的治療の１５分前〜６０分前に接触させる、請求項３に記載の医薬組成物。
【請求項５】
クリーム、ゲル、エマルション、及び、軟膏、液剤、並びに、薬用包帯からなる群から選択される医薬担体を含む、請求項１に記載の医薬組成物。
【請求項６】
ゲル又はクリームである、請求項５に記載の医薬組成物。
【請求項７】
ブリモニジン又はそれの医薬的に許容可能な塩が、クリーム又はゲル中に約０．１質量％〜約１０質量％の量で存在する、請求項６に記載の医薬組成物。
【請求項８】
外科的治療を受けた患者における出血及び／又は創傷を減少させるための、ブリモニジン又はそれの医薬的に許容可能な塩を含む医薬組成物であって、
外科的治療を行った患者の皮膚の局部に、局所的に接触させる医薬組成物。
【請求項９】
外科的治療が、外科的切開又はレーザー治療である、請求項８に記載の医薬組成物。
【請求項１０】
クリーム、ゲル、エマルション、及び、軟膏、液剤、並びに、薬用包帯からなる群から選択される医薬担体を含む、請求項８に記載の医薬組成物。
【請求項１１】
ゲル又はクリームである、請求項１０に記載の医薬組成物。
【請求項１２】
ブリモニジン又はそれの医薬的に許容可能な塩が、クリーム又はゲル中に約０．１質量％〜約１質量％の量で存在する、請求項１１に記載の医薬組成物。
【請求項１３】
外科的治療の直後に接触させる、請求項８に記載の医薬組成物。
【請求項１４】
出血及び／又は創傷を引き起こす外科的治療を行うことを予定している、患者の皮膚の局部に、外科的治療を行う前に局所的に接触させる医薬組成物であって、
外科的治療を受けることを予定している患者における手術後の出血及び／又は創傷を減少させるための医薬組成物
を製造するための、ブリモニジン又はそれの医薬的に許容可能な塩の使用。
【請求項１５】
外科的治療を行った患者の皮膚の局部に、局所的に接触させる医薬組成物であって、
外科的治療を受けた患者における出血及び／又は創傷を減少させるための医薬組成物
を製造するための、ブリモニジン又はそれの医薬的に許容可能な塩の使用。
【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
方法が：
脂質成分が水性担体と乳濁液を形成する、前記脂質成分と前記水性担体を含む有効量の脂質ベース蘇生液をヒトまたは動物対象に対して投与することを含む、前記対象における血液供給の欠乏に関係する状態を治療するための前記方法において用いるための脂質ベース蘇生液。
【請求項２】
前記の血液供給の不足と関係する状態が血液量減少および虚血を含む、請求項１に記載の脂質ベース蘇生液。
【請求項３】
血漿成分をさらに含む、請求項１または２に記載の脂質ベース蘇生液。
【請求項４】
前記血漿成分がアルブミンである、請求項３に記載の脂質ベース蘇生液。
【請求項５】
前記脂質乳濁液が精製大豆油２０％（ｗ／ｖ）、精製卵黄リン脂質１．２％（ｗ／ｖ）、および無水グリセロール２２％（ｗ／ｖ）を含み、且つ前記血漿成分がアルブミン５％（ｗ／ｖ）である、請求項４に記載の脂質ベース蘇生液。
【請求項６】
膨張剤、クリスタリオイド剤、緩衝剤、炭水化物、塩、ビタミン、抗体および界面活性剤からなる群から選択される少なくとも１つの添加剤をさらに含む、請求項１〜５のいずれか１つに記載の脂質ベース蘇生液。
【請求項７】
前記蘇生液がヒスチジンを０．０１Ｍから０．２Ｍの間の濃度で含む、請求項１〜６のいずれか１つに記載の脂質ベース蘇生液。
【請求項８】
硫化水素または一酸化炭素をさらに含む、請求項１〜７のいずれか１つに記載の脂質ベース蘇生液。
【請求項９】
ヒトまたは動物対象における血液供給の欠乏に関係する状態を治療するための前記方法が：
前記対象に対する投与の前に前記脂質ベース蘇生液を酸素化することをさらに含む、請求項１〜８のいずれか１つに記載の脂質ベース蘇生液。
【請求項１０】
前記脂質ベース蘇生液に酸素含有ガスを１から５分間通気することにより前記脂質ベース蘇生液が酸素化される、請求項９に記載の脂質ベース蘇生液。
【請求項１１】
酸素化脂質乳濁液、および
緩衝剤を含む脂質ベース蘇生液。
【請求項１２】
血漿成分をさらに含む、請求項１１に記載の蘇生液。
【請求項１３】
前記脂質乳濁液が精製大豆油２０％（ｗ／ｖ）、精製卵黄リン脂質１．２％（ｗ／ｖ）、および無水グリセロール２２％（ｗ／ｖ）を含み、且つ前記血漿成分がアルブミン５％（ｗ／ｖ）である、請求項１２に記載の蘇生液。
【請求項１４】
前記緩衝剤がヒスチジンを０．０１Ｍから０．２Ｍの間の濃度で含む、請求項１１〜１３のいずれか１つに記載される蘇生液。
【請求項１５】
硫化水素または一酸化炭素をさらに含む、請求項１５に記載の蘇生液。